【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
内視鏡（１１）用の起上台（４３）の把持スロット（９１）と協働可能な器具であって、
体管内の狭窄を拡張させるために前記内視鏡（１１）を通して配置することができる拡大可能なバルーン（１１２）と、
前記拡大可能なバルーン（１１２）の周りに配置可能であり、前記起上台（４３）の前記把持スロット（９１）と協働して狭窄部に固定されるカテーテル（１２０）であって、該カテーテルは、その長手方向軸線に沿った近位部分（１２２）および遠位部分（１２３）を含み、少なくとも前記近位部分（１２２）に沿って分割可能部分（１２４）が形成されて第１セクション（１３０）と第２セクション（１３２）が画定されており、狭窄部における前記拡大可能なバルーン（１１２）を保護および維持するために、該セクションが分割可能部分（１２４）によって互いに分離可能とされている、カテーテル（１２０）とを含む、器具。
【請求項２】
前記分割可能部分（１２４）は、前記第１セクション（１３０）および前記第２セクション（１３２）を画定するようにして、ポリテトラフルオロエチレンからなる、請求項１に記載の器具。
【請求項３】
前記分割可能部分（１２４）は、引き離した際に裂けて、第１（１３０）および第２（１３２）のセクションを画定することが可能なように構成されている分子構造からなる、請求項１に記載の器具。
【請求項４】
前記拡大可能なバルーン（１１２）は拡張バルーンカテーテルである、請求項１に記載の器具。
【請求項５】
前記拡大可能なバルーン（１１２）は、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項１に記載の器具。
【請求項６】
前記カテーテル（１２０）は、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項１に記載の器具。
【請求項７】
遠位先端まで伸び、把持スロット（９１）を画定する内側（９２）を形成された起上台（４３）が可動装着されている挿入チューブ（１２）と、
前記挿入チューブ（１２）を通して配置可能であって、狭窄を拡張させるために拡大可能なバルーン（１１２）と、
前記拡大可能なバルーン（１１２）が内部を通って配置されているカテーテル（１２０）であって、該カテーテル（１２０）は、挿入チューブ（１２）を通して配置され、前記起上台（４３）に対する長手方向の動きを抑制するために前記把持スロット（９１）と協働可能であり、長手方向軸線に沿った近位（１２２）および遠位（１２３）の部分を含み、少なくとも前記近位部分（１２２）は前記長手方向軸線に沿って形成される分割可能部分（１２４）を有し、前記拡大可能なバルーン（１１２）を狭窄部において保護かつ維持する間、該カテーテル（１２０）を固定するために該分割可能部分で互いに分離可能な第１（１３０）および第２（１３２）のセクションが画定されている、カテーテル（１２０）とを含む内視鏡システム。
【請求項８】
前記拡大可能なバルーン（１１２）は、迅速交換バルーンカテーテル、オーバー・ザ・ワイヤ・バルーンカテーテル、高圧バルーンカテーテル、固定ワイヤーカテーテル、電気生理学的アブレーションカテーテル、複数ルーメンバルーンカテーテル、閉塞バルーンカテーテル、二重バルーンカテーテル、単一バルーンカテーテル、子宮内到達バルーンカテーテル、血管形成術バルーンカテーテル、拡張バルーンカテーテル、尿道拡張バルーンカテーテル、食道バルーンカテーテル、内視鏡的狭窄形成術胆管バルーンカテーテル、経皮狭窄形成術胆管バルーンカテーテル、使い捨てバルーンカテーテル、子宮卵管造影図（ＨＳＧ）バルーンカテーテル、およびステント送達バルーンカテーテルの中の１つの拡大可能なバルーンカテーテル（１１４）である、請求項７に記載の器具。
【請求項９】
前記拡大可能なバルーン（１１２）は、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項７に記載の器具。
【請求項１０】
前記カテーテル（１２０）は、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項７に記載の器具。
【請求項１１】
起上台（４３）を備えた遠位先端を有する挿入チューブ（１２）を含む内視鏡（１１）を用いて体管内の狭窄を治療する方法であって、
カテーテル（１２０）を、遠位先端の起上台（４３）に隣接した前記挿入チューブ（１２）に通して導入するステップであって、前記カテーテル（１２０）は、狭窄に送達されて拡張させる拡大可能なバルーン（１１２）が内部に配置され、長手方向軸線に沿った近位部分（１２２）および遠位部分（１２３）を含み、少なくとも前記近位（１２２）部分は、長手方向軸線に沿って形成され、互いに分離可能な第１セクション（１３０）および第２セクション（１３２）を画定する分割可能部分（１２４）を含んでいる、ステップと；
前記カテーテル（１２０）を体管内の狭窄に隣接して配置するために起上台（４３）を動かすステップと；
前記カテーテル（１２０）を前記バルーン（１１２）に対して長手方向に維持するために前記第１（１３０）および第２（１３２）の部分を前記カテーテル（１２０）の前記近位部分（１２２）で分離するステップと；
前記狭窄を治療するために体管内の前記カテーテル（１２０）に通して前記バルーン（１１２）を展開させるステップとを含む、方法。
【請求項１２】
前記分割可能部分（１２４）が前記カテーテル（１２０）の長手方向軸線に沿って中央に形成されており、これにより前記第１（１３０）および第２（１３２）のセクションがそれぞれ第１および第２の半分部分として画定される、請求項１１に記載の方法。
【請求項１３】
前記拡大可能なバルーン（１１２）が、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項１１に記載の方法。
【請求項１４】
前記カテーテル（１２０）が、以下の構成要素、すなわち、ポリテトラフルオロエチレン、ポリエチレン、ポリプロピレン、パーフルオロエラストマー、フルオロエラストマー、ニトリル、ネオプレン、ポリウレタン、シリコン、ポリテトラフルロエチレン、スチレン−ブタジエン、ゴム、およびポリイソブチレンのうちの少なくとも１つを含むポリマー材料から作製される、請求項１１に記載の方法。